(57)【要約】  容器（１０）は、外側スリーブ（１２）と、外側スリーブ（１２）内に収容され、かつそれに対して閉鎖位置と開放位置の間で移動可能な内側ハウジング（１４）と、外側スリーブ（１２）上で可視であり、かつ外側スリーブ（１２）の第１の壁（１６）に沿った移動のために装着された外部パネル（３０）と、閉鎖位置と開放位置の間の内側ハウジング（１４）の移動が、外側スリーブ（１２）の第１の壁（１６）に沿った外部パネル（３０）の移動をもたらすように外部パネル（３０）を内側ハウジング（１４）に接続する連結デバイス（２８）とを含む。【選択図】図１
2012511477.tif 000002
【特許請求の範囲】
【請求項１】
外側スリーブと、
前記外側スリーブ内に収容され、かつ該外側スリーブに対して閉鎖位置と開放位置の間で移動可能な内側ハウジングと、
前記外側スリーブ上で可視であり、かつ該外側スリーブの第１の壁に沿って移動するために装着された外部パネルと、
前記閉鎖位置と前記開放位置の間の前記内側ハウジングの移動が、前記外側スリーブの前記第１の壁に沿った前記外部パネルの移動をもたらすように該外部パネルを該内側ハウジングに接続する連結デバイスと、
を含むことを特徴とする容器。
【請求項２】
前記連結デバイスは、前記外側スリーブの１つ又はそれよりも多くの開口部を通過することを特徴とする請求項１に記載の容器。
【請求項３】
前記連結デバイスは、前記外側スリーブの少なくとも１つの開放端を通過することを特徴とする請求項１から請求項２のいずれか１項に記載の容器。
【請求項４】
前記連結デバイスは、細長いリボンであり、その端部は、任意的に接続されて連続バンドを形成することを特徴とする請求項１から請求項３のいずれか１項に記載の容器。
【請求項５】
前記パネル及び内側ハウジングは、該パネル及び内側ハウジングが実質的に反対方向に移動可能であるように接続されることを特徴とする請求項１から請求項４のいずれか１項に記載の容器。
【請求項６】
前記内側ハウジングは、本体部分と、該内側ハウジングの壁を横切って延びるヒンジ線に沿って該本体部分に接続された蓋部分とを含むことを特徴とする請求項１から請求項５のいずれか１項に記載の容器。
【請求項７】
前記内側ハウジングは、該内側ハウジングが前記閉鎖位置にある時に前記外側スリーブによって覆われ、かつ該内側ハウジングが前記開放位置にある時に少なくとも部分的に露出するアクセス開口部を含むことを特徴とする請求項１から請求項６のいずれか１項に記載の容器。
【請求項８】
前記連結デバイスは、前記外側スリーブとは異なる材料で形成されることを特徴とする請求項１から請求項７のいずれか１項に記載の容器。
【請求項９】
前記連結デバイスは、前記開放位置を超える前記内側ハウジングの移動を制限するか又は実質的に防止するように配置されることを特徴とする請求項１から請求項８のいずれか１項に記載の容器。
【請求項１０】
前記内側ハウジングに複数の喫煙物品を含むことを特徴とする請求項１から請求項９のいずれか１項に記載の容器。
【発明の詳細な説明】
【技術分野】
【０００１】
本発明は、付加的な外部パネルを有する容器に関する。この容器は、シガレットのような喫煙物品のための容器として特定用途を見出すものである。
【背景技術】
【０００２】
喫煙物品及び他の消費財を折り畳まれた積層ブランク材から形成された容器に包装することは公知である。シガレット及びシガーのような細長い喫煙物品は、一般的に、単体積層厚紙ブランク材から構成されたヒンジ式蓋パックに入れて売られている。しかし、外側シェル及び内側ハウジングの２つの部分を有する細長い喫煙物品及び他の消費財のための容器は、別々の積層ブランク材から形成されることも公知である。そのような容器では、消費財は、閉鎖位置と、消費者が消費財にアクセスすることができるように内側ハウジングの開口部が少なくとも部分的に露出する開放位置との間で外側シェル内で摺動可能な内側ハウジング内に収容される。内側ハウジングの開放端を覆うヒンジ式蓋を有する内側ハウジングに消費財が収容される容器も公知である。
【０００３】
一般的に、消費者に情報を伝えるために消費財のための包装の外部にグラフィック及びテキストが付加される。しかし、消費財のための標準的なパックは、比較的サイズが小さく、そのような情報を表示するための可視外部面積が制限される。情報を印刷することができる付加的な表面を設けることによって消費者に伝えられる情報の外部表面量を増すことは公知である。これは、例えば、容器内に付加的なパネル又はクーポンを組み込むことによって達成されてきた。
【先行技術文献】
【特許文献】
【０００４】
【特許文献１】ＥＰ−Ａ−１，８４７，４７８
【特許文献２】ＵＳ−Ａ−４，７１４，０８２
【特許文献３】ＵＳ−Ａ−５，６９２，５２５
【発明の概要】
【発明が解決しようとする課題】
【０００５】
消費者に情報を提供するための新しい手段を有する容器を提供することが望ましいと考えられる。特に、それらの新しい手段が、情報を提供するのに利用可能な表面積を増すならば望ましいであろう。
【課題を解決するための手段】
【０００６】
本発明により、外側スリーブと、外側スリーブ内に収容され、かつ外側スリーブに対して閉鎖位置と開放位置の間で移動可能な内側ハウジングと、外側スリーブ上で可視であり、かつ外側スリーブの第１の壁に沿った移動のために容器上に装着された外部パネルと、外部パネルを内側ハウジングに連結する連結デバイス」とを含み、開放位置と閉鎖位置の間の内側ハウジングの移動が外側スリーブの第１の壁に沿った外部パネルの移動をもたらす容器を提供する。
【０００７】
好ましくは、内側ハウジングは、外側スリーブ内で少なくとも一方向に摺動可能である。内側ハウジングがその閉鎖位置からその開放位置の間で移動する時に、外部パネルは、外側スリーブの第１の壁に沿って移動される。内側ハウジングが閉鎖位置にある時に最初に外部パネルによって覆われた第１の壁の区域は、外部パネルがその最初の位置から離れるように移動する時に徐々に露出される。この区域に提供されたテキスト又はグラフィックは、従って、容器が開いている時にのみ消費者に明らかにされる。
【０００８】
外部パネルを含むと、外側スリーブの第１の壁及び外部パネルの外面の両方にグラフィック及びテキストが付加することができるので、公知の容器と比較して消費者情報を表示するのに利用可能な全表面積が有利に増加する。
【０００９】
開放位置では、内側ハウジングの少なくとも一部分は、内側ハウジングの内部にアクセス可能なように開放端を通って外側スリーブから外向きに突出する。外側スリーブは、単一の開放端を有することができる。代替的に、外側スリーブは、使用中に消費者が外側スリーブの開放端を通して内側ハウジングを押すことができるように、１対の対向する開放端を有することができる。例えば、本発明の好ましい実施形態では、外側スリーブの上端及び下端は、両方とも開放している。
【００１０】
本発明による容器は、任意的に、使用中に内側ハウジングを閉鎖位置から開放位置まで摺動させるために消費者によって把持されて引っ張ることができる内側ハウジングに接続されたプルタブを更に含むことができる。
【００１１】
外部パネルの寸法は、好ましくは、内側ハウジングの閉鎖位置において、パネルが外側スリーブの第１の壁の縁部を超えて延びないようなものである。更に、外部パネルは、好ましくは、第１の壁の近くに又はそれに接触して装着される。これらの特徴の両方とも、内側ハウジングが閉鎖位置にある時に、外部パネルが実質的に容器の全体サイズ及び形状に影響を及ぼさないことを意味する。これは、使用される既存の技術及び装置を有効にするので、あらゆる包装又はラベル付け工程のような充填された容器の製造工程を容易にする。更に、本発明による容器は、従来型の表示ユニット及び自動販売機で有利に表示及び販売することができる。
【００１２】
外部パネルは、あらゆる望ましい形状に形成され、かつ例えば容器内の消費財に関連する銘柄又はロゴを反映させることにより、容器をカスタマイズするために使用することができる。
【００１３】
本発明の容器の連結デバイスは、内側ハウジングが外側スリーブに対して移動する時に外部パネルが自動的に移動するように外部パネル及び内側ハウジングの両方に取り付けられる。連結デバイスは、従って、外側スリーブに対して自由に移動することができるべきである。
【００１４】
本発明による容器では、外側スリーブは、外部パネルと内側ハウジングの間に置かれる。従って、内側ハウジングを外部パネルに接続するために、連結デバイスは、それが外側スリーブの周りを通るか又は外側スリーブを通過するように配置すべきである。これは、典型的には、連結デバイスを内側ハウジングから外側スリーブの１つ又はそれよりも多くの開口部を通して外部パネルまで通過させることによって達成されることになる。例えば、外側スリーブが１つ又はそれよりも多くの開放端を有する場合、連結デバイスは、内側ハウジングからそれらの開放端の１つ又はそれよりも多くを通過することができる。代替的に又は追加的に、外側スリーブには、連結デバイスが通過する１つ又はそれよりも多くの開口又は切り欠き部を第１の壁に設けることができる。
【００１５】
連結デバイスは、上述のように、外部パネルの移動が内側ハウジングの移動に従属するように内側ハウジングと外部パネルを接続するためのあらゆる適切な手段によって提供することができる。好ましくは、連結デバイスは、内側ハウジング及び外部パネルの両方に接着された細長いストリップ又はリボンである。有利な態様では、細長いリボンは、外側スリーブ及び内側ハウジングの壁に接触して実質的に平らに置くことができ、内側ハウジングと外側スリーブの相対移動を妨害しない。代替的に、連結デバイスは、例えば、細長いコード、ストリング、又はスレッドとすることができる。
【００１６】
好ましくは、連結デバイスが細長いリボンの場合、細長いリボンは、連結デバイスが、それが接触している容器の壁に沿って容易かつ滑らかに摺動するように、比較的低摩擦のシート材料のストリップから形成される。例えば、細長いリボンは、被覆又は非被覆紙材料、又はプラスチックフィルムで形成することができる。プラスチックフィルムが使用される場合、フィルムは、連結デバイスが上に重なる外側スリーブの第１の壁の区域のグラフィックを覆わないように実質的に透明とすることができる。代替的に、細長いリボンは、第１の壁上に提供されたグラフィック及びテキストの一体部分を形成するようにそれ自体に印刷又は着色することができる。
【００１７】
特に好ましい実施形態では、連結デバイスは、細長いリボンの端部を接続することによって形成された連続バンド又はベルトである。連続バンドは、外側スリーブの第１の壁の全て又は一部の周りに延び、かつベルトに沿った第１及び第２の接続ポイントにおいて内側ハウジング及び外部パネルにそれぞれ取り付けられる。内側ハウジングが開放位置に向けて移動する時に、バンドは、連続ベルト経路の周りで移動され、経路の少なくとも一部は、内側ハウジングが開放位置に向けて移動する時にその経路と一致する。このベルトの移動は、次に、ベルト経路に沿った外部パネルの移動をもたらす。内側ハウジングが閉鎖位置から開放位置まで移動する時に、外部パネルは、第１の壁上の最初の位置から第１の壁上の異なる最終位置まで移動することになる。
【００１８】
好ましくは、連続ベルトは、ベルトが外側スリーブの第１の壁のある一定の区画の周りに配置されるように離間した第１の壁内の１対の開口又はスリットを通過する。スリットは、内側ハウジングの移動がいずれの方法によっても制限されないように、内側ハウジングの開放位置と閉鎖位置の間の距離と同じか又はそれよりも大きい距離だけ離間すべきである。好ましくは、スリットの幅は、ベルト経路から離れるようなリボンの有意な横方向移動が防止されるように細長いリボンの幅と類似である。
【００１９】
好ましくは、スリットは、互いに対して実質的に平行であり、かつ内側ハウジングの移動の方向に対して実質的に垂直である。これは、細長いリボンが内側ハウジングの移動の方向に対して実質的に平行に置かれることを意味する。ベルトは、容器の寸法に対してあらゆる厚みとすることができるが、典型的には容器の第１の壁の幅よりも狭くされることになる。
【００２０】
外部パネル及び内側ハウジングは、それらが同じ方向に移動するように接続することができる。例えば、外部パネルは、外部パネル及び内側ハウジングが同じ方向に互いに移動するように、外側スリーブを通じて内側ハウジングに対して固く接続することができる。
【００２１】
代替的に、外部パネル及び内側ハウジングは、それらが別々の方向に移動するように接続することができる。１つの好ましい実施例では、外部パネル及び内側ハウジングは、外部パネルが内側ハウジングに対して反対方向に移動するように、上述のように連続ベルトの手段によって接続される。例えば、内側ハウジングが、それを閉鎖位置から開放位置まで移動させるために外側スリーブに対して上方に移動する容器では、外部パネルは、外側スリーブの第１の壁に沿って下方に移動する。代替的に、内側ハウジングが、それを開放位置まで移動させるために外側スリーブの側面から移動する容器では、外部パネルは、内側ハウジングから離れるように反対方向横向きに移動することができる。
【００２２】
外部パネルは、外側スリーブのいずれの壁に沿った移動に対しても装着することができる。容器が標準的シガレットパックのような直方体の形状にある場合、外部パネルは、好ましくは、外側スリーブの前壁又は後壁のいずれかに装着され、その理由は、これらの壁が、側壁よりも大きな表面積を有し、従って、より大きな外部パネルの具備が可能するからである。
【００２３】
外部パネルは、第１の壁に対して移動可能でなければならず、かつ好ましくは、外側スリーブ又は内側ハウジングに対して直接ではなく連結デバイスにだけ接続される。しかし、外部パネルは、代替的に、容器の機能が悪影響を受けないという条件下で、外側スリーブ又は内側ハウジングに対して取り付けるか又は一体化することができる。
【００２４】
好ましくは、連結デバイスは、開放位置を超える内側ハウジングの移動を制限するか又は実質的に防止するように配置される。代替的に又は追加的に、容器は、開放位置を超える外側スリーブに対する内側ハウジングの移動を防止するために、又は内側ハウジングの不注意の開放を防止するために、又はその両方のための付加的な保持手段を含むことができる。
【００２５】
内側ハウジングは、内側ハウジングが開放位置にある時にハウジング内に収容された消費財へのクセスを可能にするあらゆる適切な構成とすることができる。例えば、内側ハウジングは、少なくとも１つの壁に開口部を含むスライド又はトレー構成とすることができる。閉鎖位置では、開口部は、外側スリーブによって覆われるが、開口部は、内側ハウジングが開放位置に向けて外側スリーブの外に移動する時に少なくとも部分的に露出する。この種の構成は、喫煙物品を収容するのに使用される標準的なスライド・アンド・シェル容器に典型的である。
【００２６】
代替的に、内側ハウジングは、本体部分と蓋部分を含むことができる。蓋部分は、内側ハウジングの壁を横切って延びるヒンジ線に沿って本体部分に接続することができる。蓋部分は、内側ハウジングの箱部分内に収容された消費財にアクセスするためにヒンジ線に関してピボット回転式に開くべきである。
【００２７】
蓋部分が内側ハウジング上に設けられる場合、蓋部分は、内側ハウジングが外側スリーブに対して移動する時にそれが自動的に開放されるように、直接的又は間接的に外側スリーブに接続することができる。これは、ヒンジ式蓋がその外側にフラップを含み、これが、外側スリーブ及び内側ハウジングが互いに対して移動する時に外側スリーブの内面と係合する公知の構成を利用して達成することができる。フラップは、次に、外側スリーブと共に引っ張られ、それによってヒンジ式蓋が開放する。この種の構成は、例えば、ＥＰ−Ａ−１，８４７，４７８に説明されている。
【００２８】
容器がヒンジ式蓋の自動開放のための機構を含む場合、連結デバイス及び外部パネルは、好ましくは、連結デバイスの機能が蓋の開放機構と干渉しないように、相互作用する蓋フラップを含む側面とは異なる容器の側面上に設けられる。
【００２９】
本発明による容器は、直角縦方向及び直角横方向縁部を含む直方体形状とすることができる。代替的に、容器は、１つ又はそれよりも多くの丸形縦方向縁部、丸形横方向縁部、傾斜付き縦方向縁部、又は傾斜付き横方向縁部、又はその組合せを含むことができる。例えば、容器の外側スリーブ又は内側ハウジングが組み立てられる元になる積層ブランク材に公知の方法で切り込みを入れることにより、本発明によるシガレット又は他の喫煙物品の「丸形コーナ」パックを生成することができる。
【００３０】
容器は、以下に限定されるものではないが、厚紙、板紙、プラスチック、金属、又はその組合せを含むあらゆる適切な材料から形成することができる。外側スリーブ及び内側ハウジングは、互いに同じ材料か又は別々の材料から形成することができる。同様に、外部パネルは、外側スリーブ又は内側ハウジングと同じ材料か又は異なる材料で形成することができる。好ましくは、外側スリーブ及び内側ハウジングは、それぞれ、単一の折り畳まれた積層ブランク材から、より好ましくは、折り畳まれた積層厚紙ブランク材から形成される。好ましくは、厚紙は、平方メートルあたり約１００グラムと平方メートルあたり約３５０グラムの間の重量を有する。
【００３１】
本発明による容器は、様々な消費財のためのパッケージとして使用することができる。特に好ましい実施形態では、本発明による容器は、喫煙物品を包装するのに使用される。本発明による容器は、以下に限定されるものではないが、従来型着火端部シガレット、シガー、又はシガリロ、可燃性燃料要素又は熱源及びエーロゾル発生基体を含む加熱式喫煙物品（例えば、ＵＳ−Ａ−４，７１４，０８２に開示する種類のシガレット）、及び電気式喫煙システムで使用するための喫煙物品（例えば、ＵＳ−Ａ−５，６９２，５２５に開示する種類のシガレット）を含む喫煙物品を包装するのに有利に使用することができる。
【００３２】
本発明による容器は、その寸法の適切な選択により、総数が異なる喫煙物品、又は配置が異なる喫煙物品を保持するように設計することができる。例えば、その寸法の適切な選択により、本発明による容器は、全部で１０本と３０本の間の喫煙物品を保持するように設計することができる。
【００３３】
喫煙物品は、喫煙物品の総数に応じて様々な丁合に配置することができる。例えば、喫煙物品は、６、７、８、又は９本を１列に配置することができる。代替的に、１０本のシガレットを２つ又はそれよりも多くの列に配置することができる。２つ又はそれよりも多くの列は、同じ数の喫煙物品を含むことができる。例えば、喫煙物品は、５、６、７、８、９、又は１０本のシガレットを２列、５、７本のシガレットを３列、又は４、５、又は６本のシガレットを４列に配置することができる。代替的に、２つ又はそれよりも多くの列は、互いに対して異なる数の喫煙物品を収容する少なくとも２つの列を収容することができる。例えば、喫煙物品は、５本の列と６本の列（５−６）、６本の列と７本の列（６−７）、７本の列と８本の列（７−８）、５本の中央の列と６本の外側の２列（６−５−６）、５本の中央の列と７本の外側の２列（７−５−７）、６本の中央の列と５本の外側の２列（５−６−５）、６本の中央の列と７本の外側の２列（７−６−７）、７本の中央の列と６本の外側の２列（６−７−６）、９本の中央の列と８本の外側の２列（８−９−８）、又は６本の中央の列と５本の外側の１列と７本の外側の１列（５−６−７）に配置することができる。
【００３４】
本発明による容器は、同じ種類又は銘柄、又は異なる種類又は銘柄の喫煙物品を保持することができる。更に、フィルタなし喫煙物品及び様々なフィルタチップ付き喫煙物品の両方、並びに長さ（例えば、約４０ｍｍと約１８０ｍｍの間）、直径（例えば、約４ｍｍと約９ｍｍの間）の異なる喫煙物品を収容することができる。更に、喫煙物品は、風味の強度、吸引抵抗、及び全粒子物質送出量を変えることができる。好ましくは、容器の寸法は、喫煙物品の長さと喫煙物品の丁合に適応化される。一般的に、容器の外径は、容器の内側に収容される喫煙物品の１つ又は複数の束の寸法よりも約０．５ｍｍと約５ｍｍの間だけ大きい。
【００３５】
本発明による容器の長さ、幅、及び深さは、閉鎖位置において容器の得られる全体寸法が２０本のシガレットの典型的な使い捨てヒンジ式パックの寸法と類似になるようにすることができる。
【００３６】
本発明による容器の外部表面は、製造業者又は銘柄ロゴ、トレードマーク、スローガン、及び他の消費者情報及び印しで印刷、エンボス、デボス、又はその他の方法で装飾することができる。
【００３７】
本発明による容器の内側ハウジングがシガレット又は他の細長い喫煙物品の束を収容する場合、喫煙物品は、好ましくは、例えば、金属箔又は金属化紙の内側ライナに包まれる。
【００３８】
充填された状態で、本発明による容器は、例えば、ポリエチレン又はポリプロピレンの透明なポリマーフィルムを用いて従来の方法で収縮包装又はそうでなければ上包装される。本発明の容器が上包装される場合、上包装紙は、１つ又はそれよりも多くの開封テープを含むことができる。１つ又はそれよりも多くの開封テープは、容器の周りに横方向又は縦方向に延びることができる。
【００３９】
本発明を添付図面を参照して単に一例として以下に更に説明する。
【図面の簡単な説明】
【００４０】
【図１】内側ハウジングが閉鎖位置にある本発明による容器を示す図である。
【図２】開放位置の図１の容器を示す図である。
【図３ａ】閉鎖位置の図１の容器の部分的な概略断面を示す図である。
【図３ｂ】開放位置の図１の容器の部分的な概略断面を示す図である。
【発明を実施するための形態】
【００４１】
添付図面に示す容器１０は、形状が直方体であり、外側スリーブ１２と外側スリーブ１２内に装着された内側ハウジング１４とを含む。内側ハウジング１４は、シガレットの包まれた束を収容するように意図しているが、これらは、図には示されていない。
【００４２】
容器１０の以下の説明では、用語「上側」及び「上部」、「下部」及び「下側」、及び「前部」及び「後部」は、内側ハウジング１４が外側スリーブ１２内で実質的に垂直方向に摺動可能なように容器が直立した位置にある場合の外側スリーブ１２及び内側ハウジング１４の構成要素の相対位置を説明するのに使用される。
【００４３】
外側スリーブ１２は、前壁１６，後壁、左側壁、及び右側壁１８を含む。外側スリーブ１２の上端は、開放しており、開いている間に外側スリーブ１２から外への内側ハウジング１４の移動が可能になる。更に、外側スリーブ１２の下端も、内側ハウジング１４の底に力が加えられてそれをその開放位置まで移動させることができるように開放している。
【００４４】
内側ハウジング１４は、前壁２０，後壁、左側壁、右側壁２２、上部壁２４、及び下部壁を含む。前壁２０は、前壁２０の上縁が上部壁２４の下になるように後壁と比較して高さが低い。これは、内側ハウジング１４の前面の上部に矩形アクセス開口部を作り出し、それを通して内側ハウジング１４内のシガレットを取り出すことができる。
【００４５】
内側ハウジング１４の横方向外部断面は、外側スリーブ１２の横方向内部断面と実質的に等しく、そのために内側ハウジング１４の外面と外側スリーブ１４の内面の間で発生した摩擦力は、正の力が加えられるまで外側スリーブ１２に対する内側ハウジング１４の移動を実質的に防止する。
【００４６】
図１は、外側スリーブ１２の前壁１６がアクセス開口部を完全に覆うことができるように内側ハウジング１４が閉鎖位置にある容器１０を示している。内側ハウジング１４と外側スリーブ１２の高さは実質的に等しく、そのために閉鎖位置において内側ハウジング１４が外側スリーブ１２の端部から突き出さない。内側ハウジング１４の上部壁２４と下部壁は、従って、容器１０の上部及び下部壁を形成する。
【００４７】
使用中に、内側ハウジング１４内の消費財へのアクセスを得るために、内側ハウジング１４は、図１の矢印Ａによって示された方向に外側スリーブ１２に対して上方に押される。これは、典型的には、図１に示す閉鎖位置から図２に示す開放位置まで外側スリーブ１２に対して内側ハウジング１４を縦方向に摺動させるように内側ハウジング１４の下部壁に対して力を加えることによって達成される。
【００４８】
開放位置では、内側ハウジング１４の上側部分は、外側スリーブ１２の上部から突出し、内側ハウジング１４の前面のアクセス開口部は、シガレットにアクセスすることができるように露出される。
【００４９】
外側スリーブ１２の前壁１６は、縦方向に離間しかつ内側ハウジングの移動の方向に対して垂直に前壁１６を横切って横方向に延びる１対の平行で対向するスリット２６を含む。スリット２６は、横方向に中心に位置決めされ、かつ長さが１０ｍｍと２０ｍｍの間である。
【００５０】
細長いリボンは、スリット２６の各々を通して挿入され、細長いリボン２８の端部が接続されてスリット２６の間で外側スリーブ１２の前壁１６の部分の周りに連続バンド２８を形成する。リボンの幅は、リボンの横方向の移動が実質的に防止されるようにスリット２６の長さとほぼ類似である。リボンの長さは、連続バンド２８の周囲がスリット２６の間の距離のほぼ２倍になるほどである。これは、バンド２８が、比較的緊張し、かつ外側スリーブ１２及び内側ハウジング１４の隣接壁に接触して平らに置かれることを保証するためである。リボンは、透明プラスチックフィルムのストリップで形成される。
【００５１】
外部パネル３０は、適切な接着剤を使用して、第１の接続ポイント３２において外側スリーブ１２の外側に沿って延びるバンド２８の部分に取り付けられる。図１及び図３ａに示すように、内側ハウジング１４の閉鎖位置では、バンドとパネル間の第１の接続ポイント３２は、ベルト２８の上側端部に置かれる。外部パネル３０は、従って、外側スリーブ１２の前壁１６の上部に向けて位置決めされる。
【００５２】
外側スリーブ１２と内側ハウジング１４の間を延びるバンド２８の部分は、適切な接着剤を使用して、第２の接続ポイントにおいて内側ハウジング１４の前壁２０に取り付けられる。図１及び図３ａに示すように、内側ハウジング１４の閉鎖位置では、内側ハウジング１４とバンド２８の間の第２の接続ポイント３４は、外部パネル３０とバンド２８の間の第１の接続ポイント３２と反対側のベルトの下側端部に置かれる。
【００５３】
内側ハウジング１４がその開放位置に向けて上方に移動されると、ベルト２８は、反時計方向にスリット２６の間の外側スリーブ１２の部分の周りで移動される。これは、次に、外部パネル３０をして外側スリーブ１２の前壁１６を矢印Ｂの方向に図２及び３ａに示す位置内に下方に移動させる。最初に外部パネル３０によって覆われた外側スリーブ１２の前壁１６の区域は、従って、露出され、その区域に印刷されたあらゆるグラフィック及びテキストが消費者に明らかにされる。
【００５４】
外側スリーブ１２の上部から内側ハウジング１４の上方の移動の範囲は、バンド２８の存在によって制限される。これは、内側ハウジング１４とバンド２８の間の第２の接続ポイント３２が上側スリット２６に到達した状態で、バンド２８の更なる回転、及び従って内側ハウジング１４の更なる上方の移動が可能ではないからである。
【００５５】
容器１０の外側スリーブ１２及び内側ハウジング１４は、両方とも厚紙積層ブランク材から形成される。内側ハウジング１４を形成するための積層ブランク材は、従来のスライド・アンド・シェル容器のスライドを形成するのに使用されるものと類似の構成である。内側ハウジング１４は、従来の方法で喫煙物品の包まれた束の周りに形成することができる。外側スリーブ１２を形成するための積層ブランク材も、上述のようにブランク材の前壁パネルに２つのスリット２６が設けられる以外は、従来の容器の外側スリーブを形成するのに使用されるものと類似の構成である。
【００５６】
細長いリボンは、スリット２６を通して挿入され、リボンの端部は、互いに接合されて連続バンド２８を形成する。外側スリーブ１２が、次に、内側ハウジング１４の周りに組み立てられ、上述のように、バンドが、第２の接続ポイント３４で内側ハウジング１４の前壁２０に接着される。同じくシート厚紙で形成される外部パネル３０は、内側ハウジングの周りに外側スリーブを組み立てる前又は後に、第１の接続ポイント３２で外側スリーブの前壁の外側のバンドに接着される。最終的に、組み立てられかつ充填された容器１０は、従来の方法で透明包装紙を用いて上包装される。
【００５７】
図示して上述した容器１０の内側ハウジング１４は、前面にアクセス開口部を有する比較的単純な構成であるが、内側ハウジングの多くの他の構成も本発明に適合すると考えられることは認められるであろう。例えば、上述のように、内側ハウジングは、内側ハウジングが外側スリーブから上方に移動する時に自動的に開くように任意的に外側スリーブに接続することができる１つ又はそれよりも多くのヒンジ式蓋を含むことができる。
【００５８】
上述の実施形態では、外部パネルが外側スリーブの前壁上に設けられるのに対して、パネルは、代替的に、後壁上又はスリーブの側壁の１つに装着することができると考えられることは認められるであろう。また、上述の実施形態では、アクセス開口部が内側ハウジングの前面に設けられるのに対して、代替的に、他の面の１つに設けることができると考えられることも認められるであろう。更に、開口部は、必要に応じて１つよりも多い面にわたって延びることができると考えられる。
【００５９】
本発明による容器では、容器の下端が完全に開放しているが、これは、本発明の不可欠な特徴ではなく、外側スリーブは、代替的に、内側ハウジングを押す時に通すことができる切り欠き部を任意的に設けることができる下部壁を含むことができることは認められるであろう。更に、上述の容器では、内側ハウジングが開放位置で外側スリーブの上端を通って突出するのに対して、代替的に、それは、外側スリーブの別の端部又は側面を通って突出することができると考えられることは認められるであろう。
【符号の説明】
【００６０】
１０  容器
１２  外側スリーブ
１４  内側ハウジング
１６  外側スリーブの第１の壁
２８  連結デバイス
３０  外部パネル
【図１】
2012511477.tif 000003
【図２】
2012511477.tif 000004
【図３ａ】
2012511477.tif 000005
【図３ｂ】
2012511477.tif 000006
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
外側スリーブと、
前記外側スリーブ内に収容され、かつ該外側スリーブに対して閉鎖位置と開放位置の間で移動可能な内側ハウジングと、
前記外側スリーブ上で可視であり、かつ該外側スリーブの第１の壁に沿って移動するために装着された外部パネルと、
前記閉鎖位置と前記開放位置の間の前記内側ハウジングの移動が、前記外側スリーブの前記第１の壁に沿った前記外部パネルの移動をもたらすように該外部パネルを該内側ハウジングに接続する連結デバイスであって、
前記外側スリーブの１つ又はそれよりも多くの開口部を通過する連結デバイスと
を含むことを特徴とする容器。
【請求項２】
前記連結デバイスは、前記外側スリーブの少なくとも１つの開放端を通過することを特徴とする請求項１に記載の容器。
【請求項３】
前記連結デバイスは、細長いリボンであり、その端部は、任意的に接続されて連続バンドを形成することを特徴とする請求項１又は請求項２に記載の容器。
【請求項４】
前記内側ハウジングは、本体部分と、該内側ハウジングの壁を横切って延びるヒンジ線に沿って該本体部分に接続された蓋部分とを含むことを特徴とする請求項１から請求項３のいずれか１項に記載の容器。
【請求項５】
前記内側ハウジングは、該内側ハウジングが前記閉鎖位置にある時に前記外側スリーブによって覆われ、かつ該内側ハウジングが前記開放位置にある時に少なくとも部分的に露出するアクセス開口部を含むことを特徴とする請求項１から請求項４のいずれか１項に記載の容器。
【国際調査報告】
2012511477.tif 000007
2012511477.tif 000008